(57)【要約】      （修正有）【課題】計量から注出までの工程数を削減し、計量塗布容器の使い勝手をよくする。【解決手段】内容物Ｃを充填する容器本体110と、容器本体の口部111に固定されて容器本体内に通じる開口124を有する中栓120と、中栓の開口を経て内容物を計量して注出するノズルとを備える。ノズルは、中栓を挟持して容器本体の口部に固定される周壁131と、中栓の座面122fに当接して中栓との相互間に開閉弁を形成する末端開口132a及び末端開口に通じる先端開口132bを有しその内部に計量空間Ｒを形成するノズル本体132と、ノズル本体と周壁とを相互に繋いでノズル末端開口を座面に押し付ける一方、ノズル本体の傾倒又は押し上げにより当該ノズル末端開口を座面から離間させてその隙間から内容物を計量空間に流入させる円錐状の板ばね133とからなり、ノズル先端開口、計量空間内にてばね部材を介してスライド可能に弾性支持されノズル先端開口の開閉を司る塗布栓140を設ける。【選択図】図２
2006123963.tif 000002
【特許請求の範囲】
【請求項１】
内容物を充填する容器本体と、この容器本体の口部に固定されて当該容器本体内に通じる開口を有する中栓と、この中栓の開口を経て前記容器本体の内容物を計量して当該計量に係る内容物のみを注出するノズルとを備え、
このノズルは、前記中栓を挟持して前記容器本体の口部に固定される周壁と、前記中栓に当接して当該中栓との相互間に開閉弁を形成する末端開口及び当該末端開口に通じる先端開口を有しその内部に計量空間を形成するノズル本体と、このノズル本体と前記周壁とを相互に繋いで前記ノズル本体の末端開口を前記中栓に押し付ける一方、前記ノズル本体に付与した外力による傾倒又は押し上げにより当該ノズル本体の末端開口を前記中栓から離間させてその隙間から前記容器本体の内容物を前記計量空間に流入させる円錐状又は角錐状の板ばねとからなり、
前記ノズル本体の先端開口に、前記計量空間内にてばね部材を介してスライド可能に弾性支持され前記ノズル本体の先端開口の開閉を司る塗布栓を設けたことを特徴とするノズル付き計量塗布容器。
【請求項２】
前記中栓に、前記計量空間内に起立して前記ノズル本体に付与した外力による傾倒を当該ノズル本体との接触により規制するロッドを設けた請求項１に記載のノズル付き計量塗布容器。
【請求項３】
前記ロッドに、その基部から先端に向かって伸びてノズル本体との相互間に流路を形成する溝又は突条を設けた請求項２に記載のノズル付き計量塗布容器。
【請求項４】
前記ノズル本体の外周壁にフランジ又は対向位置から突出する２つの突起を設けると共に、前記周壁に前記フランジ又は前記突起に向かってそれぞれ押し付けて当該フランジ又は突起を介して前記ノズル本体を押し上げる環状又は２つの弾性片を設けた請求項１乃至３のいずれか一項に記載のノズル付き計量塗布容器。
【請求項５】
前記弾性片は、前記フランジ又は前記突起との接触部位に、前記ノズル本体の押し上げを誘導する傾斜面又は湾曲面を備える請求項４に記載のノズル付き計量塗布容器。
【請求項６】
前記ノズル本体の外周壁にフランジ又は突起を設けると共に、前記周壁に前記フランジ又は前記突起に向かって押し付けて当該フランジ又は突起を介して前記ノズル本体を傾倒させる１つの弾性片を設けた請求項１乃至３のいずれか一項に記載のノズル付き計量塗布容器。
【発明の詳細な説明】
【技術分野】
【０００１】
本発明は、容器本体内に充填した内容物を使用する分だけ計量して当該計量に係る内容物のみを注出するノズル付き計量塗布容器に関するものである。
【背景技術】
【０００２】
従来のノズル付き計量塗布容器は、育毛剤等に用いられ、容器本体の口部に固定されて当該容器本体に通じる開口を有する中栓と、この中栓に沿って上下移動可能なノズル付き計量液貯留筒と、この計量貯留筒と一体に移動して前記中栓の開口を開閉する栓体保持筒とからなり、前記中栓に、容器本体の内容物を計量する凹断面形状の計量室を設けたものがある（例えば、特許文献１参照。）。
【特許文献１】特開２００２−１９３３０２号公報
【０００３】
しかしながら、上記従来容器は、計量から注出までの工程が、ノズル付き計量液貯留筒を上げて中栓の開口を開放する第一の工程と、計量容器を転倒させて中栓の開口から容器本体の内容物を取り出す第二の工程と、計量容器を元の位置に戻して容器本体から取り出した内容物を計量する第三の工程と、ノズル付き計量液貯留筒を元の位置まで下ろして中栓の開口を封止する第四の工程と、ノズルの先端開口から突出した塗布栓を塗布部に押圧させてノズル先端開口を開放する第五の工程との５つの工程を要し、これら一連の工程を経て初めて前記計量に係る内容物のみを注出できるものであるため、工程数が多く、計量から注出までに手間がかかる点に改良の余地があった。
【発明の開示】
【発明が解決しようとする課題】
【０００４】
本発明の解決すべき課題は、計量から注出までの工程数を削減することにより、ノズル付き計量塗布容器の使い勝手をよくすることにある。
【課題を解決するための手段】
【０００５】
本発明であるノズル付き計量塗布容器は、内容物を充填する容器本体と、この容器本体の口部に固定されて当該容器本体内に通じる開口を有する中栓と、この中栓の開口を経て前記容器本体の内容物を計量して当該計量に係る内容物のみを注出するノズルとを備え、このノズルは、前記中栓を挟持して前記容器本体の口部に固定される周壁と、前記中栓に当接して当該中栓との相互間に開閉弁を形成する末端開口及び当該末端開口に通じる先端開口を有しその内部に計量空間を形成するノズル本体と、このノズル本体と前記周壁とを相互に繋いで前記ノズル本体の末端開口を前記中栓に押し付ける一方、前記ノズル本体に付与した外力による傾倒又は押し上げにより当該ノズル本体の末端開口を前記中栓から離間させてその隙間から前記容器本体の内容物を前記計量空間に流入させる円錐状又は角錐状の板ばねとからなり、前記ノズル本体の先端開口に、前記計量空間内にてばね部材を介してスライド可能に弾性支持され前記ノズル本体の先端開口の開閉を司る塗布栓を設けたことを特徴とするものである。なお、本発明に係るノズルにおいて、前記周壁は、ノズルを容器本体の口部に固定できる構成であれば、中栓を介して容器本体の口部に固定しているものに限らず、容器本体の口部に直接固定したり、これらを組み合わせて固定してもよい。更に、本発明に係るノズルにあっては、周壁、ノズル本体、板ばね及び塗布栓はそれぞれ一体又は別体を問わない。
【０００６】
本発明にあっては特に、前記中栓に、前記計量空間内に起立して前記ノズル本体に付与した外力による傾倒を当該ノズル本体との接触により規制するロッドを設けることが好ましい。
【０００７】
更に本発明にあっては、前記ロッドに、その基部から先端に向かって伸びてノズル本体との相互間に流路を形成する溝又は突条を設けることが好ましい。
【０００８】
加えて本発明にあっては、前記ノズル本体の外周壁にフランジ又は対向位置から突出する２つの突起を設けると共に、前記周壁に前記フランジ又は前記突起に向かってそれぞれ押し付けて当該フランジ又は突起を介して前記ノズル本体を押し上げる環状又は２つの弾性片を設けることが好ましく、この場合、前記弾性片は、前記フランジ又は前記突起との接触部位に、前記ノズル本体の押し上げを誘導する傾斜面又は湾曲面を備えるとよい。
【０００９】
また本発明にあっては、前記ノズル本体の外周壁にフランジ又は突起を設けると共に、前記周壁に前記フランジ又は前記突起に向かって押し付けて当該フランジ又は突起を介して前記ノズル本体を傾倒させる弾性片を設けてもよい。
【発明の効果】
【００１０】
本発明容器は、ノズル本体の内部が計量空間としてなると共に、ノズル本体の末端開口と中栓との相互間に開閉弁が形成されるから、計量から注出までの工程が、計量容器を転倒させる第一の工程と、指などでノズル本体に付与した外力によりノズル本体を板ばねの弾性力に抗して傾倒又は押し上げてノズル本体の末端開口を前記中栓から離間させてその隙間から前記容器本体の内容物を前記計量空間に流入させる第二の工程と、ノズル本体を元の位置に戻して前記計量空間への内容物の流入を停止させる第三の工程と、ノズル本体の先端開口から突出した塗布栓を塗布部に押圧させて当該先端開口を開放する第四の工程との４つの工程で済む。従って本発明によれば、計量から注出までの工程数を削減することができるため、使い勝手のよいノズル付き計量塗布容器を提供することができる。
【００１１】
本発明にあっては特に、前記中栓に、前記計量空間内に起立して前記ノズル本体に付与した外力による傾倒を当該ノズル本体との接触により規制するロッドを設ければ、ノズル本体の傾倒又は押し上げに際して起こり得るノズル本体の過大な傾倒を防止して、板ばね及び板ばね接続部（端部）にかかる過負荷を防止でき、ノズル本体の傾倒又は押し上げを安定した状態で行うことができるため、ノズル本体を傾倒又は押し上げる際の使い勝手がよくなる。
【００１２】
更に本発明にあっては、前記ロッドに、その基部から先端に向かって伸びてノズル本体との相互間に流路を形成する溝又は突条を設ければ、ロッドとノズル本体が接触していてもノズル本体の先端開口側に内容物をスムーズ且つ迅速に供給できる。
【００１３】
加えて本発明にあっては、前記ノズル本体の外周壁にフランジ又は対向位置から突出する２つの突起を設けると共に、前記周壁に前記フランジ又は前記突起に向かってそれぞれ押し付けて当該フランジ又は突起を介して前記ノズル本体を押し上げる環状又は２つの弾性片を設ければ、使用者は手を汚すことなく、ノズル本体を押し上げることができるため、ノズル本体を押し上げる際の使い勝手が更によくなる。また、この場合、前記弾性片は、前記フランジ又は前記突起との接触部位に、前記ノズル本体の押し上げを誘導する傾斜面又は湾曲面を備えるものであれば、押し上げ操作を簡単な構成で実現することができるため、低コスト化を図ることができる。
【００１４】
一方、本発明にあっては、前記ノズル本体の外周壁にフランジ又は突起を設けると共に、前記周壁に前記フランジ又は前記突起に向かって押し付けて当該フランジ又は突起を介して前記ノズル本体を傾倒させる１つの弾性片を設ければ、使用者は手を汚すことなく、ノズル本体を傾倒させることができるため、ノズル本体を傾倒させる際の使い勝手が更によくなる。
【発明を実施するための最良の形態】
【００１５】
以下、図面を参照して、本発明であるノズル付き計量塗布容器を詳細に説明する。
【００１６】
図１は、本発明の第一の形態である本発明容器100を一部断面で示す正面図であり、この本発明容器100は育毛剤を内容物Ｃとして不使用時においては、かかる状態にある。また、図２は、図１の領域Ｘを示す要部拡大図である。更に図３は、内容物の計量から注出までの工程のうち、第一の工程及び第二の工程を説明すべく同形態を一部断面で示す正面図であり、図４は、内容物の計量から注出までの工程のうち、第三の工程及び第四の工程を説明すべく同形態を一部断面で示す正面図である。
【００１７】
図１，２において、符号110は、内容物Ｃを充填する容器本体であり、その口部111には、中栓120が固定されている。本形態において、中栓120は、図２に示す如く、中栓本体121から垂下した環状部121aが容器本体110の口部111の内周面111fと嵌合して固定されている。また、中栓本体121には、図２に示す如く、座部122を介して一体に繋がるロッド123が設けられており、このロッド123の周りには、容器本体110の内部に通じる少なくとも１つの開口124が形成されている。更にロッド123には、図２に示す如く、座部122に繋がる基部123aから先端123bに向かって伸びる複数の溝123sが形成されている。
【００１８】
また図１において、符号130は、後述の周壁131、ノズル本体132及び板ばね133とを一体に備えるノズルである。
【００１９】
周壁131は、図２に示す如く、中栓本体121から立設した環状部121bと嵌合する嵌合溝131aと、容器本体110の口部111の外周面に沿って伸びて当該口部111の外周面から突出した突起111pと嵌合する外壁131bとを一体に有して容器本体110の口部111に螺合又はアンダーカット嵌合により固定される（本図ではその詳細は省略する。）。これにより、ノズル130は、中栓120を挟持して容器本体110の口部111に固定される。
【００２０】
ノズル本体132は、図２に示す如く、座部122の外観形状を形成する傾斜面122fに当接して傾斜面122fとの相互間に開閉弁を形成する末端開口132a及び当該末端開口132aに通じる先端開口132bを有しその内部に計量空間Ｒ（図１参照。）を形成する。板ばね133は、周壁131とノズル本体132とを相互に繋ぐ円錐状又は角錐状をなす。これにより、板ばね133は、図２に示す如く、ノズル本体132の末端開口132aを弁体として傾斜面（以下、「座面」という。）122fに押し付ける一方、図３に示す如く、指などによりノズル本体132に付与した外力による傾倒又は押し上げにより当該ノズル本体132の末端開口132aを斜面122fから離間させてその隙間Ｃrから容器本体110の内容物を計量空間Ｒに流入させる。即ち、かかる構成によれば、ノズル本体132の内部が計量空間Ｒとしてなると共に、ノズル本体132の末端開口132aと中栓120の座面122fとの相互間に開閉弁が形成される。
【００２１】
更に図１において、符号140は、ノズル本体132の先端開口132bを開閉する塗布栓であり、この塗布栓140は、図２に示す如く、計量空間Ｒ内にてノズル本体の内周面から突出した突条（突起又は溝部に置き換えることも可能。）131pに固定されたばね部材141に一体に繋がり、このばね部材141を介してスライド可能に弾性支持されている。これにより、塗布栓140は、その先端を塗布部（例えば、頭皮）に押し付けると、ばね部材141の付勢力に抗して計量空間Ｒ内に向かってスライドしてノズル本体132の先端開口132bを開く一方、その先端を塗布部から離すと、ばね部材141の付勢力によりその先端がノズル本体132の先端開口132bから突出する向きにスライドしてノズル本体132の先端開口132bを閉じる。
【００２２】
ここで、図１〜４を参照して本形態の作用を説明する。
【００２３】
本発明容器100により容器本体110の内容物Ｃを計量して当該計量に係る内容物Ｃのみを注出するには先ず、ノズル130を覆うカバー150（図１参照。）を容器本体110の口部111から取り外す。なお、当該カバー150は、天板裏面より垂下する筒状部151を有しており、当該筒状部151が装着状態でその先端段部152がノズル本体132の先端開口132bの端面及び側面に当接し、同部をシールするように形成されている。次に、図３に示す如く、本発明容器100を転倒させた（第一の工程）のち、指などの外力Ｆ1でノズル本体132を板ばね133の弾性力に抗して傾倒させてノズル本体132の末端開口132aを中栓120の座面122fから離間させてその隙間Ｃrから容器本体110の内容物Ｃを開口124を経て計量空間Ｒに流入させる（第二の工程）。その後、指等による外力Ｆ1の付加を停止すると、図４に示す如く、板ばね133の弾性復元力Ｆ2でノズル本体132を元の位置に戻してノズル本体132の末端開口132aを中栓120の座面122fに着座させて計量空間Ｒへの内容物Ｃの流入を停止させる（第三の工程）と、計量空間Ｒには、容器本体110から内容物Ｃが所定量だけ充填される。これにより、ノズル130から注出すべき内容物Ｃの計量が完了し、本発明容器100を元の状態に起こしても計量した内容物Ｃは、容器本体110内に逆流することなく済む。
【００２４】
これにより、ノズル本体132の先端開口132bから突出した塗布栓140を塗布部に押圧させて当該先端開口132bを開放する（第四の工程）と、計量にかかる内容物Ｃのみを注出して当該内容物Ｃを頭皮等に塗布することができる。なお、本発明容器100にあっては、ノズル本体132を傾倒させるだけでなく、ノズル本体132を中栓120に対して押し上げても、ノズル本体132の末端開口132aを中栓120の座面122fから離間させることができる。
【００２５】
図５は、本発明容器の第二の形態である本発明容器200を一部断面で示す正面図であり、当該容器200は、転倒させた状態にある。また、図５において、図１〜４と同一部分は同一符号をもって、その説明を省略する。
【００２６】
本発明容器200において、板ばね133には、中栓120の座面122fと当接する弁体部134が一体に設けられており、この弁体部134に、ノズルケース137を一体に取り付けてノズル本体を形成する。また、弁体部134は、ばね部材135を介してノズルケース137の先端開口137ｂから突出する塗布栓136に繋がっている。即ち、本形態にあっては、弁体部134の末端開口134aがノズル本体の末端開口132aに相当し、弁体部134の末端開口134aが座面122fと共に開閉弁を構成する。また、ノズルケース137の外周面には、その全周にわたってフランジ137fが一体に成形されている。
【００２７】
更に本形態において、周壁131には、この周壁131と一体に繋がって片持ち支持される２つの弾性片138がノズルケース137を挟んだ対向位置に設けられている。これにより、弾性片138は、ノズルケース137のフランジ137fにそれぞれ押し付けることにより当該フランジ137fを介してノズルケース137を板ばね133と共に押し上げるから、使用者は手を汚すことなく、弁体部134の末端開口134aを座部122fから離間させるため、ノズル本体を押し上げる際の使い勝手が更によくなる。また、本形態に係る弾性片138は、フランジ137fとの接触部位に、ノズル本体の押し上げを誘導する傾斜面（又は湾曲面）138fを備える。かかる構成によれば、押し上げ操作を簡単な構成で実現することができるため、低コスト化を図ることができる。
【００２８】
なお、本形態において、弾性片138が押し付けられるフランジ137fは、ノズルケース137の外周面に当該ノズルケース137を挟んだ対向位置から突出する２つの突起であってもよいし、また、弾性片138を環状とすることもできる。更に、本形態の変形例として、２つの弾性片138のうちの一方を排除して弾性片138を１つにしてもよい。この場合は、１つの弾性片138をノズルケース137のフランジ137fに押し付けることにより、ノズルケース137を弁体部134の末端開口134aと共に傾倒させることができる。かかる構成によれば、使用者は手を汚すことなく、弁体部134の末端開口134aを座部122fから離間させるため、ノズルケースを傾倒させる際の使い勝手がよくなる。また、この場合においても、弾性片138が押し付けられるフランジ137fは、ノズルケース137の外周面から突出した１つの突起にすることができる。また、本形態は、図１〜４にて説明した一体成形のノズル130にも適用することができる。
【００２９】
上述したことから明らかな如く、本発明容器100(200)は、ノズル本体の内部が計量空間Ｒとしてなると共に、ノズル本体の末端開口132a(134a)と中栓120との相互間に開閉弁が形成されるから、計量から注出までの工程が、本発明容器100(200)を転倒させる第一の工程と、指などでノズル本体132(137)に付与した外力によりノズル本体132(137)を板ばね133の弾性力に抗して傾倒させてノズル本体の末端開口132a(134a)を中栓120から離間させてその隙間Ｃrから容器本体110の内容物Ｃを計量空間Ｒに流入させる第二の工程と、ノズル本体を元の位置に戻して計量空間Ｒへの内容物Ｃの流入を停止させる第三の工程と、ノズル本体の先端開口132b(137b)から突出した塗布栓140(136)を塗布部に押圧させて当該先端開口132b(137b)を開放する第四の工程との４つの工程で済む。従って本発明容器100(200)によれば、計量から注出までの工程数が５つであった従来容器に比べて、その工程数を削減することができるため、使い勝手のよいノズル付き計量塗布容器を提供することができる。
【００３０】
また、本発明容器100(200)にあっては特に、中栓120に、計量空間Ｒ内に起立してノズル本体132(137)に付与した外力による傾倒を当該ノズル本体132(137)との接触により規制するロッド123が設けられている。かかる構成によれば、ノズル本体132(137)の傾倒又は押し上げに際して起こり得るノズル本体132(137)の過大な傾倒を防止して、板ばね133及び板ばね133の接続部（端部）、即ち、板ばね133本体や、板ばね133と周壁131との接続部（端部）及び板ばね133とノズル本体132（弁体部134）との接続部（端部）にかかる過負荷を防止でき、ノズル本体132(137)の傾倒又は押し上げを安定した状態で行うことができるため、ノズル本体132(137)を傾倒又は押し上げる際の使い勝手がよくなる。
【００３１】
更に本発明容器100(200)にあっては、ロッド123に、その基部123aから先端123bに向かって伸びてノズル本体132(137)との相互間に流路を形成する溝123s（又は突条）が設けられている。かかる構成によれば、ロッド123とノズル本体132が接触していてもノズル本体132(137)の先端開口132b(137b)側に内容物Ｃをスムーズ且つ迅速に供給できる。
【００３２】
上述したところは、本発明の一形態を示したに過ぎず、当業者によれば、請求の範囲において、種々の変更を加えることができる。例えば、本発明に係るノズル130にあっては、周壁131、ノズル本体132及び板ばね133はそれぞれ一体又は別体を問わない。塗布栓140,136は、通気性のない構造のもののほか、多少の通気性を許容する多孔質構造にしてもよい。本発明容器に充填される内容物には、育毛剤のほかに、接着剤や修正液等、様々なものが挙げられる。更に、ばね部材141(135)の形状も螺旋状、直線状のほか、公知の各種形状の採用が可能であると共に塗布栓140(136)と別体構成とすることも可能である。
【図面の簡単な説明】
【００３３】
【図１】本発明の第一の形態である本発明容器を一部断面で示す正面図である。
【図２】図１の領域Ｘを示す要部拡大図である。
【図３】内容物の計量から注出までの工程のうち、第一の工程及び第二の工程を説明するべく同形態を一部断面で示す正面図である。
【図４】内容物の計量から注出までの工程のうち、第三の工程及び第四の工程を説明すべく同形態を一部断面で示す正面図である。
【図５】本発明容器の第二の形態である本発明容器を一部断面で示す正面図である。
【符号の説明】
【００３４】
100  ノズル付き計量塗布容器
110  容器本体
120  中栓
124  開口
130  ノズル
131  周壁
132  ノズル本体
133  板ばね
134  弁体部
135  ばね部材
136  塗布栓
137  ノズルケース
138  弾性片
140  塗布栓
141  ばね部材
【図１】
2006123963.tif 000003
【図２】
2006123963.tif 000004
【図３】
2006123963.tif 000005
【図４】
2006123963.tif 000006
【図５】
2006123963.tif 000007